(57)【要約】【課題】被写体に焦点検出用の補助光パターンを投影すること。【解決手段】補助光投影部３０２は、所定の投影倍率で被写体に焦点検出用の補助光パターンを投影する望遠レンズ用投影部材と、望遠レンズ用投影部材よりも高い投影倍率で被写体に焦点検出用の補助光パターンを投影する広角レンズ用投影部材とを備える。切替部３０３は、ホットシュー１０８を介して取得したレンズ２００の焦点距離に応じて、広角レンズ用投影部材と望遠レンズ用投影部材とを切り替える。【選択図】図１
2008170782.tif 000002
【特許請求の範囲】
【請求項１】
所定の投影倍率で被写体に焦点検出用の補助光パターンを投影する第１の投影手段と、
前記第１の投影手段とは別に設けられており、かつ前記第１の投影手段よりも高い投影倍率で被写体に焦点検出用の補助光パターンを投影する第２の投影手段と、
撮影光学系の焦点距離に応じて、前記第１の投影手段と前記第２の投影手段とを切り替える切替手段とを備えることを特徴とする補助光パターン投影装置。
【請求項２】
請求項１に記載の補助光パターン投影装置において、
前記第１の投影手段で投影される補助光パターンと、前記第２の投影手段で投影される補助光パターンとは、撮影される前において、そのパターンは同一であることを特徴とする補助光パターン投影装置。
【請求項３】
請求項１または２に記載の補助光パターン投影装置において、
前記切替手段は、前記撮影光学系の焦点距離が所定の閾値未満である場合には、前記第２の投影手段への切り替えを行い、前記撮影光学系の焦点距離が所定の閾値以上である場合には、前記第１の投影手段への切り替えを行うことを特徴とする補助光パターン投影装置。
【請求項４】
請求項３に記載の補助光パターン投影装置において、
前記所定の閾値は変更可能であることを特徴とする補助光パターン投影装置。
【請求項５】
請求項１〜４のいずれか一項に記載の補助光パターン投影装置において、
前記切替手段は、前記撮影光学系のズーム比、および撮影光学系から前記被写体までの距離の少なくとも一方を加味して、前記投影手段の切り替えを行うことを特徴とする補助光パターン投影装置。
【請求項６】
請求項１〜５のいずれか一項に記載の補助光パターン投影装置において、
前記切替手段は、前記第１の投影手段が備える光源、および前記第２の投影手段が備える光源への電力供給の有無を切り替えることによって、前記投影手段の切り替えを行うことを特徴とする補助光パターン投影装置。
【請求項７】
請求項１〜６のいずれか一項に記載の補助光パターン投影装置において、
被写体に投影した前記焦点検出用の補助光パターンを検出して焦点検出を行う焦点検出手段と、
前記第１の投影手段で投影された前記焦点検出用の補助光パターンを前記焦点検出手段で検出した結果と、前記第２の投影手段で投影された前記焦点検出用の補助光パターンを前記焦点検出手段で検出した結果とを比較する比較手段とをさらに備え、
前記切替手段は、前記比較手段で比較した結果、焦点検出状態がより良好な結果が得られた方の投影手段に切り替えを行うことを特徴とする補助光パターン投影装置。
【請求項８】
請求項１〜７のいずれか一項に記載の補助光パターン投影装置において、
前記撮影光学系は、カメラに着脱可能な交換レンズであって、
前記撮影光学系の焦点距離に基づいて、前記カメラに装着された前記撮影光学系が広角レンズであるか望遠レンズであるかを判定する判定手段をさらに備え、
前記切替手段は、前記判定手段によって前記撮影光学系が広角レンズであると判定された場合には、前記第２の投影手段への切り替えを行い、前記撮影光学系が望遠レンズであると判定された場合には、前記第１の投影手段への切り替えを行うことを特徴とする補助光パターン投影装置。
【請求項９】
請求項１〜８のいずれか一項に記載の補助光パターン投影装置を搭載したカメラ。
【請求項１０】
撮影レンズと、前記撮影レンズが着脱可能なカメラと、前記カメラに着脱可能な閃光装置とからなるカメラシステムであって、
前記撮影レンズは、
焦点距離を含むレンズ情報を記憶する記憶手段と、
前記レンズ情報を外部に出力するレンズ側出力手段とを備え、
前記カメラは、
前記レンズ情報を入力するカメラ側入力手段と、
前記レンズ情報に基づいた指示情報を前記閃光装置に出力するカメラ側出力手段とを備え、
前記閃光装置は、
所定の投影倍率で被写体に焦点検出用の補助光パターンを投影する第１の投影手段と、
前記第１の投影手段とは別に設けられており、かつ前記第１の投影手段よりも高い投影倍率で被写体に焦点検出用の補助光パターンを投影する第２の投影手段と、
前記カメラ側出力手段から出力された前記指示情報を入力する閃光装置側入力手段と、
前記指示情報に基づいて、前記第１の投影手段と前記第２の投影手段とを切り替える切替手段とを備えることを特徴とするカメラシステム。
【発明の詳細な説明】
【技術分野】
【０００１】
本発明は、被写体に焦点検出用の補助光パターンを投影するための補助光パターン投影装置、これを搭載したカメラ、およびこれを用いたカメラシステムに関する。
【背景技術】
【０００２】
次のような補助光投影装置が知られている。この補助光投影装置は、撮影レンズから入手した焦点距離情報に基づいて、焦点検出用パターンの投影倍率を変更する（例えば、特許文献１）。
【０００３】
【特許文献１】特開２００５−１７７４６号公報
【発明の開示】
【発明が解決しようとする課題】
【０００４】
しかしながら、従来の補助光投影装置によれば、焦点検出用パターンの投影倍率を変更するためにレンズをズームアップまたはズームダウンするための駆動機構を備えていた。このため、レンズを駆動させるために時間を要し、焦点検出用パターンの投影倍率の変更に時間がかかっていた。
【課題を解決するための手段】
【０００５】
本発明による補助光パターン投影装置は、所定の投影倍率で被写体に焦点検出用の補助光パターンを投影する第１の投影手段と、第１の投影手段とは別に設けられており、かつ第１の投影手段よりも高い投影倍率で被写体に焦点検出用の補助光パターンを投影する第２の投影手段と、撮影光学系の焦点距離に応じて、第１の投影手段と第２の投影手段とを切り替える切替手段とを備えることを特徴とする。
本発明によるカメラは、請求項１〜８のいずれか一項に記載の補助光パターン投影装置を搭載することを特徴とする。
本発明によるカメラシステムは、撮影レンズと、撮影レンズが着脱可能なカメラと、カメラに着脱可能な閃光装置とからなり、撮影レンズは、焦点距離を含むレンズ情報を記憶する記憶手段と、レンズ情報を外部に出力するレンズ側出力手段とを備え、カメラは、レンズ情報を入力するカメラ側入力手段と、レンズ情報に基づいた指示情報を閃光装置に出力するカメラ側出力手段とを備え、閃光装置は、所定の投影倍率で被写体に焦点検出用の補助光パターンを投影する第１の投影手段と、第１の投影手段とは別に設けられており、かつ第１の投影手段よりも高い投影倍率で被写体に焦点検出用の補助光パターンを投影する第２の投影手段と、カメラ側出力手段から出力された指示情報を入力する閃光装置側入力手段と、指示情報に基づいて、第１の投影手段と第２の投影手段とを切り替える切替手段とを備えることを特徴とする。
【発明の効果】
【０００６】
本発明によれば、焦点検出用パターンの投影倍率を高速に切り替えることができる。
【発明を実施するための最良の形態】
【０００７】
図１は、本実施の形態における補助光パターン投影装置をカメラ本体に接続したカメラシステムの一実施の形態の構成を示すブロック図である。カメラ本体（電子カメラ）１００は、例えば撮影光学系であるレンズ２００が着脱可能な一眼レフカメラであって、クイックターンミラー１０１、サブミラー１０２、シャッター１０３、撮像素子１０４、レンズマウント部１０５、焦点検出部１０６、ＣＰＵ１０７、およびホットシュー１０８を備えている。
【０００８】
レンズ２００は、レンズマウント部１０５を介してカメラ本体１００に取り付け可能（着脱可能）であり、望遠レンズや広角レンズなどが任意に選択的に取り付けられる。補助光パターン投影装置３００は、例えば外部閃光装置であって、ホットシュー１０８を介してカメラ本体１００に接続される。この補助光パターン投影装置（閃光発生装置、ストロボ装置）３００は、撮影時に被写体照明用の閃光を発光する発光部３０１、この発光部３０１とは別に設けられている補助光投影部３０２、および切替部３０３を備えている。
【０００９】
カメラ本体１００においては、レンズ２００を介して入射された被写体の光は、メインミラー１０１において不図示のファインダー系と焦点検出系とに分割される。焦点検出系への光はメインミラー１０１を通過した後、サブミラー１０２で反射され、焦点検出部１０６へ入射する。焦点検出部１０６は、入射された被写体光に基づいて自動で焦点検出を行って焦点調節を行う。すなわち、焦点検出部１０６は、後述するように、補助光パターン投影装置３００から被写体に投影される補助光パターンを検出して、例えば公知の位相差検出方式を用いて自動で焦点調節を行う。
【００１０】
使用者によって不図示のレリーズボタンが押下された場合には、ＣＰＵ１０７は、メインミラー１０１およびサブミラー１０２を撮影光路上から退避し、シャッター１０３を開く。これによってレンズ２００により結像した被写体像を撮像素子１０４、例えばＣＣＤやＣＭＯＳで撮像して画像を取得することができる。また、レンズマウント部１０５には、レンズ２００側に設けられた接点部２００ａと電気的に接続可能な接点１０５ａが設けられており、マウントされているレンズ２００から接点１０５ａを介してそのレンズに関する情報、例えば焦点距離に関する情報などを取得して、ＣＰＵ１０７へ出力する。
【００１１】
本実施の形態におけるカメラ本体１００では、焦点検出部１０６で自動焦点調整を行うために、ＣＰＵ１０７は、ホットシュー１０８を介して接続されている補助光パターン投影装置３００に対して指示情報を出力して、焦点検出用の補助光パターンの投影を指示する。このとき、ＣＰＵ１０７は、レンズマウント部１０５で取得されたレンズ２００に関する情報（焦点距離情報などを含む）を補助光パターン投影装置３００へ出力する。
【００１２】
補助光パターン投影装置３００の切替部３０３は、カメラ本体１００のＣＰＵ１０７から補助光パターンの投影指示があった場合には、ＣＰＵ１０７から受信したレンズ２００に関する情報に基づいて、カメラ本体１００にマウントされているレンズ２００の焦点距離を判定する。そして、レンズ２００の焦点距離に応じて、補助光パターン投影部３０２によって被写体に投影する補助光パターンを切り替える。以下、補助光パターンの切り替えについて詳細に説明する。
【００１３】
補助光パターン投影部３０２は、補助光パターンの投影倍率が異なる２組の投影部材を備えている。各投影部材は、光源、投影光学系であるレンズ群、および光源から照射される光を所定の補助光パターンに分割するプリズムで構成されている。例えば、図２（ａ）に示す所定の投影倍率で被写体に焦点検出用の補助光パターンを投影するための広角レンズ用投影部材と、図２（ｂ）に示す広角レンズ用投影部材よりも低い投影倍率で被写体に焦点検出用の補助光パターンを投影するための望遠レンズ用投影部材とを備えている。なお、光源としては、例えばＬＥＤが用いられ、本実施の形態では、広角レンズ用投影部材に用いるＬＥＤと、望遠レンズ用投影部材に用いるＬＥＤには同じ種類のＬＥＤを使用するものとする。
【００１４】
広角レンズ用投影部材は、図２（ａ）に示すように、光源（ＬＥＤ）２ａと、広角投影レンズ群２ｂと、広角レンズ用補助光パターン分割プリズム２ｃとで構成され、図３（ａ）に示すように、広角投影レンズ群２ｂで拡大された補助光パターンを被写体に投影する。望遠レンズ用投影部材は、図２（ｂ）に示すように、光源（ＬＥＤ）２ｄと、望遠投影レンズ群２ｅと、望遠レンズ用補助光パターン分割プリズム２ｆとで構成され、図３（ｂ）に示すように、望遠投影レンズ群２ｅで拡大された補助光パターンを被写体に投影する。なお、図３に示すように、望遠レンズ用投影部材によって投影される補助光パターンは、広角レンズ用投影部材によって投影される補助光パターンと同一（それぞれ投影される前の元のパターンは同一の形状（形も大きさも）のパターン）であるが、被投影面上に投影されたパターン自体は、その大きさが図２（ａ）で投影されたものに比して小さくなっている。
【００１５】
図４は、補助光パターン投影部３０２を正面から見たときの、広角レンズ用投影部材および望遠レンズ用投影部材の配置例を示す図である。この図４に示すように、補助光パターン投影部３０２を正面から（補助光パターンの射出面と対面する側から）見た場合には、広角レンズ用投影部材の広角用補助光パターン分割プリズム２ｃと、望遠レンズ用投影部材の望遠用補助光パターン分割プリズム２ｆとが見えており、それぞれが横に並んで配置されている。なお、望遠用補助光パターン分割プリズム２ｆの方が、広角用補助光パターン分割プリズム２ｃよりも約１．５倍程度大きくなっている。
【００１６】
切替部３０３は、レンズ２００の焦点距離に応じて、被写体への補助光パターンの投影に用いる投影部材を、広角レンズ用投影部材と望遠レンズ用投影部材との間で切り替える。例えば、レンズ２００の焦点距離が所定の閾値未満、例えば５０ｍｍ未満である場合には、レンズ２００は広角レンズであると判断して、広角レンズ用投影部材に切り替える。一方、レンズ２００の焦点距離が前述の所定の閾値、例えば５０ｍｍ以上である場合には、レンズ２００は望遠レンズであると判断して、望遠レンズ用投影部材に切り替える。なお、ここで用いる閾値は、固定値としてもよく、使用者が任意に変更可能としてもよい。
【００１７】
具体的には、切替部３０３は、図５に示すように、光源２ａおよび２ｄへの電力供給の有無を切り替えることによって切り替えを行う。すなわち、レンズ２００の焦点距離が所定の閾値未満である場合には、スイッチ５ａを光源２ａ側に倒して光源２ａに電力を供給する。これによって、光源２ａが発光し、広角レンズ用投影部材によって被写体に補助光パターンを投影することができる。一方、レンズ２００の焦点距離が所定の閾値以上である場合には、スイッチ５ａを光源２ｄ側に倒して光源２ｄに電力を供給する。これによって、光源２ｄが発光し、望遠レンズ用投影部材によって被写体に補助光パターンを投影することができる。なお、図７の符号７ａについては後述する。
【００１８】
以上説明したように、レンズ２００の焦点距離が所定の閾値未満である場合には、投影される補助光パターンが大きい広角レンズ用投影部材で補助光パターンを投影する。そして、レンズ２００の焦点距離が所定の閾値以上である場合には、投影される補助光パターンが小さい望遠レンズ用投影部材で補助光パターンを投影する。
【００１９】
これによって、レンズ２００の焦点距離が長い場合には、被写体に投影した補助光パターンの像はレンズ２００によって拡大されて焦点検出部１０６の焦点検出面上に入射されるため、小さい補助光パターンが被写体に対して投影されれば、焦点検出部１０６が焦点検出を行うために必要な大きさの補助光パターンを焦点検出部１０６へ入射することができる。これに対して、レンズ２００の焦点距離が短い場合には、被写体に投影した補助光パターンの像は望遠レンズほど拡大されずに焦点検出面上に入射されるため、大きい補助光パターンが被写体に対して投影されれば、焦点検出部１０６が焦点検出を行うために必要な大きさの補助光パターンを焦点検出部１０６へ入射することができる。
【００２０】
図６は、本実施の形態における補助光パターン投影装置３００の処理を示すフローチャートである。図６に示す処理は、補助光パターン投影装置３００がホットシュー１０８を介してカメラ本体１００に接続されると起動するプログラムとして、切替部３０３によって実行される。
【００２１】
ステップＳ１０において、カメラ本体１００のＣＰＵ１０７から、ホットシュー１０８を介して補助光パターンの投影指示があったか否かを判断する。肯定判断した場合には、ステップＳ２０へ進み、レンズ２００の焦点距離が所定の閾値、例えば５０ｍｍ未満であるか否かを判断する。肯定判断した場合には、ステップＳ３０へ進み、図５で上述したように、スイッチ５ａを光源２ａ側へ倒して通電を開始し、広角レンズ用投影部材に切り替えて補助光パターンを投影する。一方、否定判断した場合には、ステップＳ４０へ進み、スイッチ５ａを光源２ｄ側へ倒して通電を開始し、望遠レンズ用投影部材に切り替えて補助光パターンを投影する。その後、処理を終了する。
【００２２】
以上説明した本実施の形態によれば、以下のような作用効果を得ることができる。
（１）所定の投影倍率で被写体に焦点検出用の補助光パターンを投影する望遠レンズ用投影部材と、望遠レンズ用投影部材よりも高い投影倍率で被写体に焦点検出用の補助光パターンを投影する広角レンズ用投影部材とを備えるようにした。そして、切替部３０３は、撮影光学系であるレンズ２００の焦点距離に応じて、広角レンズ用投影部材と望遠レンズ用投影部材とを切り替えるようにした。これによって、レンズ２００の焦点距離に応じた適切な投影部材への切り替えを行うことができる。
【００２３】
（２）広角レンズ用投影部材と望遠レンズ用投影部材で投影する補助光パターンとは、そのパターンが同一であるようにした。これによって、焦点検出部１０６は、広角レンズ用投影部材と望遠レンズ用投影部材のいずれで補助光パターンを投影した場合でも、精度高く焦点検出を行うことができる。
【００２４】
（３）切替部３０３は、レンズ２００の焦点距離が所定の閾値未満である場合には、広角レンズ用投影部材への切り替えを行い、レンズ２００の焦点距離が所定の閾値以上である場合には、望遠レンズ用投影部材への切り替えを行うようにした。これによって、レンズ２００の焦点距離が長い場合には、被写体に投影した補助光パターンの像は拡大されて入射されるため、小さい補助光パターンを投影すれば、焦点検出部１０６が焦点検出を行うために必要な大きさの補助光パターンを焦点検出部１０６へ入射することができる。これに対して、レンズ２００の焦点距離が短い場合には、被写体に投影した補助光パターンの像は望遠レンズほど拡大されずに入射されるため、大きい補助光パターンを投影すれば、焦点検出部１０６が焦点検出を行うために必要な大きさの補助光パターンを焦点検出部１０６へ入射することができる。
【００２５】
（４）投影部材の切り替えを判定するための所定の閾値は、変更可能であるようにした。これによって、使用者の好みに応じて閾値を変更することができ、利便性が向上する。
【００２６】
（５）切替部３０３は、広角レンズ用投影部材が備える光源、および望遠レンズ用投影部材が備える光源への電力供給の有無を切り替えることによって、投影部材の切り替えを行うようにした。これによって、簡易な構成で投影部材の切り替えを行うことができ、コスト的に有利となる。また、投影部材の切り替えを高速に行うことができる。
【００２７】
―変形例―
なお、上述した実施の形態の補助光パターン投影装置を接続したカメラは、以下のように変形することもできる。
（１）上述した実施の形態では、広角レンズ用投影部材に用いるＬＥＤと、望遠レンズ用投影部材に用いるＬＥＤには、同じ種類のＬＥＤを使用する例について説明した。しかしながら、それぞれ異なる種類のＬＥＤを用いてもよい。例えば、広角レンズ用投影部材に、望遠レンズ用投影部材よりも明るいＬＥＤを用いるようにしてもよい。これによって、広角レンズ用投影部材によって投影される補助光パターンは、図３に示したように望遠レンズ用投影部材によって投影される補助光パターンよりも大きいため、光源の光量をアップすることで鮮明な補助光パターンを投影することができる、
【００２８】
（２）上述した実施の形態では、望遠レンズ用投影部材によって投影される補助光パターンと広角レンズ用投影部材によって投影される補助光パターンとは、同一である場合について説明した。しかしながら、それぞれを異なるパターン（各投影系に最適なパターン）としてもよい。
【００２９】
（３）上述した実施の形態では、切替部３０３は、レンズ２００の焦点距離が所定の閾値未満か否かを判定して、投影部材の切り替えを行う例について説明した。しかしながら、レンズマウント部１０５が装着されたレンズ２００が広角レンズか望遠レンズかを判定してその情報を出力できる場合には、切替部３０３は、レンズ２００が広角レンズか望遠レンズかを判定して、その判定結果に基づいて切り替えを行ってもよい。すなわち、切替部３０３は、レンズ２００が広角レンズであると判定した場合には、広角レンズ用投影部材に切り替えて補助光パターンの投影を行う。これに対して、レンズ２００が望遠レンズであると判断した場合には、望遠レンズ用投影部材に切り替えて補助光パターンの投影を行う。
【００３０】
（４）上述した実施の形態では、切替部３０３は、レンズ２００の焦点距離に基づいて投影部材を切り替える例について説明した。しかしながら、切替部３０３は、撮影光学系のズーム比、および撮影光学系から被写体までの距離の少なくとも一方も加味して投影部材を切り替えるようにしてもよい。例えば、被写体までの距離を加味する場合には、被写体までの距離が遠ければ、望遠レンズを用いて撮影する可能性が高いことから、被写体に投影する補助光パターンを小さくするために望遠レンズ用投影部材に切り替える。これに対して、被写体までの距離が近ければ、広角レンズを用いて撮影する可能性が高いことから、被写体に投影する補助光パターンを大きくするために広角レンズ用投影部材に切り替えるようにすればよい。
【００３１】
（５）上述した実施の形態では、切替部３０３は、レンズ２００の焦点距離に基づいて投影部材の切り替えを行い、焦点検出部１０６は、切り替えられた投影部材で投影された補助光パターンを検出して焦点調整を行う例について説明した。しかしながら、切替部３０３は、レンズ２００の焦点距離に基づいて投影部材の切り替えを行って補助光パターンを投影した後、もう一方の投影部材への切り替えを行って再度補助光パターンを投影してもよい。そして、焦点検出部１０６は、各補助光パターンが被写体に投影される度に焦点検出を行って、その都度得られた焦点検出結果を比較し、その検出結果の良好な方（例えばデフォーカス量の小さかった方）の検出結果を用いて、焦点検出を行うようにしてもよい。また、その際に検出結果が良好だった投影部材をその撮影条件（レンズの焦点距離や被写体距離、ズーム比など）下における投影部材として以降使用するよう設定してもよい。
【００３２】
あるいは、焦点検出部１０６は、最初に投影された補助光パターンを検出して焦点調整を行った後、後に投影された補助光パターンを検出して焦点調整を行って、それぞれの焦点調整結果の精度（焦点調整精度）を切替部３０３へ出力する。切替部３０３は、焦点検出部１０６から入力される焦点調整精度を検出し、焦点調整精度が高い方の投影部材に切り替えを行うようにしてもよい。
【００３３】
（６）上述した実施の形態では、補助光パターン投影部３０２は、投影部材として広角レンズ用投影部材と望遠レンズ用投影部材とを備え、切替部３０３は、レンズ２００の焦点距離に応じて２組の構成部材のうち、いずれかに切り替えを行う例について説明した。しかしながら、補助光パターン投影部３０２は、３つ以上の投影部材を備えるようにしてもよい。例えば、投影部材として広角レンズ用投影部材、標準レンズ用投影部材、および望遠レンズ用投影部材の３組の投影部材を備えるようにしてもよい。そして、切替部３０３は、例えば、レンズ２００の焦点距離が４０ｍｍ未満であれば広角レンズ用投影部材に切り替え、４０ｍｍ以上、７０ｍｍ未満であれば標準レンズ用投影部材に切り替え、７０ｍｍ以上であれば望遠レンズ用投影部材に切り替えるようにしてもよい。
【００３４】
なおこの場合には、切替部３０３は、図７に示すように広角レンズ用投影部材の光源２ａ、標準レンズ用投影部材の光源７ａ、および望遠レンズ用投影部材の光源２ｄへの電力供給の有無を切り替える。すなわち、レンズ２００の焦点距離が所定の４０ｍｍ未満である場合には、スイッチ５ａを光源２ａ側に倒して光源２ａに電力を供給する。また、４０ｍｍ以上、７０ｍｍ未満である場合には、スイッチ５ａを光源７ａ側に倒して光源７ａに電力を供給する。これに対した、レンズ２００の焦点距離が７０ｍｍ以上である場合には、スイッチ５ａを光源２ｄ側に倒して光源２ｄに電力を供給する。
【００３５】
（７）上述した実施の形態では、補助光パターン投影装置３００は、外部閃光装置であって、ホットシュー１０９を介してカメラ本体１００に接続される例について説明した。しかしながら、補助光パターン投影装置３００は、カメラ本体１００に内蔵（搭載）される閃光装置であってもよい。すなわち、図１において、カメラ本体１００と補助光パターン投影装置３００が一体となっていてもよい。また、補助光パターン投影装置３００として閃光装置を用いずに、被写体に焦点検出用の補助光パターンを照射する機能のみを有する投影装置を用いてもよい。すなわち、図１において、補助光パターン投影装置３００は、発光部３０１を備えていなくてもよい。
【００３６】
（８）上述した実施の形態では、カメラ本体１００は、撮影光学系であるレンズ２００が着脱可能な一眼レフカメラである例について説明した。しかしながら、レンズを内蔵したカメラ、例えばコンパクトカメラであってもよい。すなわち、図１において、カメラ本体１００とレンズ２００は一体となっていてもよい。
【００３７】
なお、本発明の特徴的な機能を損なわない限り、本発明は、上述した実施の形態における構成に何ら限定されない。
【図面の簡単な説明】
【００３８】
【図１】補助光パターン投影装置を接続したカメラシステムの一実施の形態の構成を示すブロック図である。
【図２】投影部材の具体例を示す図である。
【図３】投影される補助光パターンの具体例を示す図である。
【図４】補助光パターン投影部３０２を正面から見たときの、広角レンズ用投影部材および望遠レンズ用投影部材の配置例を示す図である。
【図５】光源への電力供給の切り替え例を示す第１の図である。
【図６】補助光パターン投影装置３００の処理を示すフローチャート図である。
【図７】光源への電力供給の切り替え例を示す第２の図である。
【符号の説明】
【００３９】
１００  カメラ、１０１  クイックターンミラー、１０２  サブミラー、１０３  シャッター、１０４  撮像素子、１０５  レンズマウント部、１０６  焦点検出部、１０７  ＣＰＵ、１０８  ホットシュー、２００  レンズ、３００  補助光パターン投影装置、３０１  発光部、３０２  補助光投影部、３０３  切替部
【図１】
2008170782.tif 000003
【図２】
2008170782.tif 000004
【図３】
2008170782.tif 000005
【図４】
2008170782.tif 000006
【図５】
2008170782.tif 000007
【図６】
2008170782.tif 000008
【図７】
2008170782.tif 000009